(57)【要約】【課題】ゴミ箱の口径よりも開口径の小さい袋をゴミ収集袋として使用することを可能とし、しかも、美観を損ねることなくゴミ箱の内部に安定した状態で設置すること可能とするゴミ収集袋保持具を提供する。【解決手段】発明に係るゴミ収集袋保持具は、線材で形成され並んで起立した一組の脚部の上端部に架け渡された上部連結線材を有する。そして、前記上部連結線材は、前記上端部を最短距離で結ぶ経路上に存在しない地点を経由して、前記上端部どうしをつなぐものとなっている。【選択図】  図１
2014221682.tif 000002
【特許請求の範囲】
【請求項１】
線材で形成され並んで起立した一組の脚部の上端部に架け渡された上部連結線材を有し、前記上部連結線材は、前記上端部を最短距離で結ぶ経路上に存在しない地点を経由して、前記上端部どうしをつないでいることを特徴とするゴミ収集袋保持具。
【請求項２】
前記上部連結線材と前記脚部が着脱自在とされている請求項１に記載のゴミ収集袋保持具。
【請求項３】
前記脚部に所定間隔の目盛が付されている請求項２に記載のゴミ収集袋保持具。
【請求項４】
前記上部連結線材に所定間隔の目盛が付されている請求項２または３に記載のゴミ収集袋保持具。
【請求項５】
前記脚部の前記上部連結線材に対する角度が可変とされている請求項１〜４のいずれかに記載のゴミ収集袋保持具。
【請求項６】
前記脚部は、起立した一対の線材の両下端部が間隔を開けて連結された形状をなし、前記脚部の一組が向い合せに配置され、
前記上部連結線材の一組が、前記脚部の向い合せに配置された前記上端部の二組の各々を連結し、
前記上部連結線材どうしの間隔が、前記脚部の弾発力により可変とされている請求項１〜５のいずれかに記載のゴミ収集袋保持具。
【発明の詳細な説明】
【技術分野】
【０００１】
本発明は、ゴミ箱の内部にゴミを収容するために配置され収容したゴミとともに廃棄できるゴミ収集袋を、ゴミ箱の内部で保持するためのゴミ収集袋保持具に関するものである。
【背景技術】
【０００２】
ゴミ箱の内部には、通常、衛生面や使い勝手(収集したゴミの廃棄など)を考慮し、ゴミ収集袋が配置される。このゴミ収集袋には、小売店で購入した商品を持ち運ぶために小売店から提供される樹脂製の袋、いわゆるレジ袋の使用される場合が多い。そして、このレジ袋をゴミ箱の内部に配置する方法として、袋の閉塞部分をゴミ箱内部に配置し、開口部をゴミ箱の縁に沿って折返してゴミ箱の縁に掛け止める方法が採られることが多い。しかし、この方法では、袋の縁がゴミ箱外部に露出し美観を損ねるという問題があった。
【０００３】
このような美観の問題を解消する手段として、袋の開口をゴミ箱の内面に保持する手法が考えられる。そして、これまでに、袋の開口をゴミ箱内面で保持する様々な手法が開示されている。例えば、実開昭５９−１３０８０３号公報には、ポリバケツのごみ袋固定用のリングを切断し、その切断部に弾性体を取り付けたごみ袋固定リング装置が提案されている。また、特開２００３−８１４０１号公報では、片側を接着面とした弾力性のあるシートを帯状としたバンドを、ゴミ袋上部の折り返し部に貼り付けて、ゴミ袋の内側にセットする手法が提案されている。
【先行技術文献】
【特許文献】
【０００４】
【特許文献１】実開昭５９−１３０８０３号公報
【特許文献２】特開２００３−８１４０１号公報
【発明の開示】
【発明が解決しようとする課題】
【０００５】
しかしながら、ゴミ収集袋の開口をゴミ箱の内面に保持するための従来の手法では、ゴミ箱の口径よりも開口径の小さい袋は使用できないという問題があった。また、保持具となる環状の部材とゴミ箱内面の摩擦力によりゴミ収集袋を保持するものであったため、ゴミ収集袋の保持状態が不安定であった。
【０００６】
そこで、本発明は、ゴミ箱の口径よりも開口径の小さい袋をゴミ収集袋として使用することを可能とし、しかも、美観を損ねることなくゴミ箱の内部に安定した状態で設置することを可能とするゴミ収集袋保持具を提供することを目的とする。
【課題を解決するための手段】
【０００７】
本発明に係るゴミ収集袋保持具は、線材で形成され並んで起立した一組の脚部の上端部に架け渡された上部連結線材を有する。そして、前記上部連結線材は、前記上端部を最短距離で結ぶ経路上に存在しない地点を経由して、前記上端部どうしをつなぐものとなっている。
【０００８】
本発明において、上端部を最短距離で結ぶ経路上に存在しない地点を経由することは、上部連結線材が直状でなけば、満たすものとなる。例えば、円弧を描くように湾曲したものや、直線の中間を折れ曲げたくの字形のものは、いずれも、上端部を最短距離で結ぶ経路上に存在しない地点を経由することになる。従って、上部連結線材の形状は、ゴミ収集袋を設置するゴミ箱の開口形状に適合するものとすればよい。
【０００９】
前記上部連結線材と前記脚部が着脱自在とされていてもよく、その場合、前記脚部に所定間隔の目盛が表示されていてもよい。更に、所定間隔の目盛は、前記上部連結線材に付されていてもよい。
【００１０】
前記脚部の前記上部連結線材に対する角度が可変とされていてもよい。なお、本発明において、上部連結線材は、ほぼ水平に配置されるため、脚部の上部連結線材に対する角度とは、すなわち、設置された状態での鉛直方向に対する傾斜角度となる。
【００１１】
前記脚部は、起立した一対の線材の両下端部が間隔を開けて連結された形状をなし、前記脚部の一組が向い合せに配置され、前記上部連結線材の一組が、前記脚部の向い合せに配置された前記上端部の二組の各々を連結するもので、前記上部連結線材どうしの間隔が、前記脚部の弾発力により可変とされていてもよい。
【発明の効果】
【００１２】
本発明のゴミ収集袋保持具は、ゴミ収集袋の開口部を折り返し、その折り返し部分を上部連結線材に掛けた状態とし、その状態でゴミ箱内部に挿入設置して使用する。
【００１３】
このゴミ収集袋保持具によれば、並んで起立した一組の脚部と、それら脚部の上端部に架け渡される上部連結線材の双方が線材で形成されているため、線材の有する弾性により所定の許容範囲内で変形自在となる。そのため、ゴミ収集袋の開口部の折り返し部分を上部連結線材に掛けるとき、形状が袋の開口径に応じて変化するので、様々な大きさの袋を保持させることができる。また、ゴミ収集袋全体が、ゴミ収集袋保持具と共にゴミ箱内部に配置されることになるため、ゴミ収集袋の折り返し部分がゴミ箱の外側に露出することもなく、美観を損ねることもない。なお、脚部の下端部はゴミ箱の底に接した状態で維持されるため、レジ袋などの軟弱素材で作られた袋であっても、起立状態を保つことができる。
【００１４】
また、上部連結線材と脚部を着脱自在とすることにより、上部連結線材から脚部を取り外し、上端部を切除して高さ調整を容易に行うことが可能となる。そのため、脚部が使用するゴミ箱のよりも高い場合にも、調整による使用が可能となり、様々なゴミ箱への適用が可能となる。この際、脚部に所定間隔の目盛（例えば、１ｃｍ間隔の目盛）が付されていれば、容易に適切な長さを切除することができるとともに、両脚部において切除されるな長さが不均等になることを防止できる。なお、寸法の調整は、上部連結線材の端部を切除することにより行うことも可能である。すなわち、脚部から取り外した上部連結線材の端部を切除することで、上部連結線材で連結されている脚部の上端部どうし間隔を小さくすることができる。この際、上部連結線材にも所定間隔の目盛を付しておくことで、容易に適切な長さを切除できることは、脚部の場合と同様である。また、脚部と上部連結線材のいずれにおいても、目盛を、線材の表面に刻み込んで形成した切れ込みとすれば、ペンチなどの工具を用いることなく、素手のみで簡単に切除することが可能なものとなる。
【００１５】
更にまた、脚部の前記上部連結線材に対する角度が可変とされていれば、設置した状態において脚部を鉛直方向に対して傾斜させ、開口面積と底面積の異なるゴミ箱の内面形状に適合させ、ゴミ収集袋をより安定した状態で保持することができる。また、脚部どうしの下側間隔を、上側の間隔よりも狭くすれば、開口面積と底面積が同じ形状、すなわち、有底円筒状のゴミ箱に使用する際、上部連結部材の間隔をゴミ箱の内径に極めて近いものとしても、ゴミ箱への挿入を容易に行うことができるという利点がある。
【００１６】
脚部の形状は、使用状況、製造条件、流通方法などを考慮し適切なものとすればよいが、起立した一対の線材の両下端部が間隔を開けて連結された形状としてもよい。この場合、脚部の一組を向い合せに配置し、上部連結線材の一組で脚部の向い合せに配置された上端部の二組の各々を連結する。そして、上部連結線材どうしの間隔が、脚部の弾発力により可変なものとする。このような形態とした場合は、次のように使用する。まず、ゴミ収集袋の閉塞された部分（底部分）を上部連結線材の間に通し、袋の下側部分を脚部の間に配置する。続いて、袋の開口部を折り返し、その折り返し部分を上部連結線材に掛けた状態とする。そして、ゴミ収集袋が取り付けられた状態でゴミ箱内部に挿入設置して使用する。ゴミ収集袋は一つのみ取り付けてもよいが、開口径の小さいレジ袋を、それぞれの上部連結線材に一つずつ、合計２つ取り付けることもできる。
【図面の簡単な説明】
【００１７】
【図１】本発明に係るゴミ収集袋保持具の実施形態の斜視図である。
【図２】図１に示すゴミ収集袋保持具にゴミ収集袋を取り付けた状態の斜視図である。
【図３】図２に示すゴミ収集袋保持具を底部の狭いゴミ箱の内部に設置した状態を示す斜視図である。
【図４】図２に示すゴミ収集袋保持具を有底円筒状のゴミ箱の内部に設置した状態を示す斜視図である。
【図５】図２に示すゴミ収集袋保持具の下側の脚部間隔を調整して有底円筒状のゴミ箱の内部に設置した状態を示す斜視図である。
【図６】図１に示すゴミ収集袋保持具にゴミ収集袋を２つ取り付けた状態を示す斜視図である。
【図７】ゴミ収集袋保持具の他の実施形態を示し、（ａ）平面図、（ｂ）は正面図である。
【図８】ゴミ収集袋保持具の更に他の実施形態を示し、（ａ）平面図、（ｂ）は正面図である。
【図９】ゴミ収集袋保持具の更に他の実施形態を示す平面図である。
【図１０】ゴミ収集袋保持具の更に他の実施形態を示す斜視図である。
【発明を実施するための形態】
【００１８】
図１〜５を参照しながら、本発明のゴミ収集袋保持具の実施形態について説明する。
このゴミ収集袋保持具は、起立した一対の線材１１、１１の両下端部１１ｂ、１１ｂが間隔を開けて連結された形状の一組の脚部１０、１０を有する。これら脚部１０、１０は、向い合せに配置され、それらの上端部１０ａの各々には、連結曲管１３が着脱自在に取り付けられている。
【００１９】
連結曲管１３は一方の端部において鉛直方向の下向きに開口し、他方の端部において水平方向に開口している。そして、下向きに開口した端部１３ｂには脚部１０の上端部１０ａが挿し込まれ、水平方向に開口した端部１３ａには上部連結線材１２の一端が挿し込まれている。
【００２０】
上部連結線材１２は、円弧を描くように湾曲しており、その一端が一方の脚部１０の上端部１０ａに取り付けられた連結曲管１３の端部１３ａに、他方の端部が異なる脚部１０の上端部１０ａに取り付けられた連結曲管１３の端部１３ａに挿し込まれている。そして、異なる脚部１０、１０の、向い合せに配置された上端部１０ａ、１０ａの二組の各々が上部連結線材１２、１２で連結されている。
【００２１】
脚部１０を構成する線材は弾性変形するものとされている。そして、上部連結線材１２、１２どうしの間隔が、脚部１０の弾発力により可変とされている。また、脚部１０は鉛直方向に対して傾斜し、脚部１０の下側の間隔Ｗｄが、上側の間隔Ｗｕよりも狭いものとされている。
【００２２】
このゴミ収集袋保持具は、次のように使用するものである。
まず、ゴミ収集袋２０の閉塞された部分（底部分）２０ａを上部連結線材１２、１２の間に通し、袋の下側部分２０ｂを脚部１０、１０の間に配置する。続いて、袋の開口部を折り返し、その折り返し部分２０ｃを上部連結線材１２に掛け、図２に示す状態とする。そして、ゴミ収集袋２０が取り付けられた状態でゴミ箱３０の内部に挿入設置し、図３に示す状態として使用する。
【００２３】
脚部１０及び上部連結線材１２は、公知の金属線で形成されているが、材質に制限はなく、製造装置の能力や使用される環境を考慮し、適宜の材質を選択すればよい。ただし、上部連結線材１２の間隔が可変となる程度に弾性変形するものとする。また、一般的に使用されているペンチなどの工具で容易に切断できるものが好ましく、その場合、脚部１０を連結曲管１３から取り外して上端部１０ａ、１０ａを適宜の長さ切除することで、高さを調整することが可能となる。なお、脚部１０の上端部１０ａ、１０ａから所定の長さに亘り所定間隔の目盛（例えば、１ｃｍ間隔の目盛）を予め付しておくことにより、容易に適切な長さを切除することができるとともに、両上端部１０ａ、１０ａにおいて切除される長さが不均等になることを防止できる。
【００２４】
脚部１０と上部連結線材１２は、使用時に連結されていればよく、不使用時、例えば、製造施設から販売店への流通過程や、販売店から購入者自宅への運搬過程では、分解された状態としてもよい。分解された状態としておけば、容量が小さくなり、容易に運搬することが可能となる。また、分解された状態のものを、使用時に組み立てることとすれば、脚部１０と上部連結線材１２の寸法の種類を少なくしても、それらの組合せにより、様々な寸法、例えば、開口が大きく高さの小さい形状や開口も高さも大きい形状にも適用させることが可能となる。
【００２５】
脚部１０の下側の間隔Ｗｄは、上側の間隔Ｗｕよりも狭くなっているため、図３に示すように、底面積が開口面積よりも小さいゴミ箱３０の内面形状に適するものとなっている。しかしながら、図４に示すように、底面積が開口面積と同じ形状、すなわち、有底円筒状のゴミ箱４０にも適用することができる。この場合、上部連結部材１２、１２の間隔をゴミ箱４０の内径に極めて近いものとしても、ゴミ箱４０への挿入を容易に行うことができる。
【００２６】
連結曲管１３は、水平方向に開口した端部１３ａに挿入された上部連結線材１２に対し上部連結線材１２の周方向に捻ることが可能となっている。そして、上部連結線材１２と脚部１０の角度を適宜調整することで、ゴミ箱の内周形状に適合させることができるものとなっている。そのため、脚部１０の上部連結線材１２に対する角度を、設置状態において脚部１０が鉛直方向に起立するものとすれば、図５に示すように、有底円筒状のゴミ箱４０の内面形状に適合させることができる。
【００２７】
図１〜５に示す実施形態では、ゴミ収集袋は一つのみ取り付けられているが、開口径の小さいレジ袋を２つ取り付けてもよい。その場合は、図６に示すようように、上部連結線材１２の各々にレジ袋をゴミ収集袋２０として一つずつ取り付ければよい。この際、それぞれの袋に異なる種類のゴミを収容するものとすれば、ゴミを容易に分別廃棄することができるという利点もある。なお、図６において、図１〜５に示すゴミ収集袋保持具と実質的に同じ部分には同符号が付されている。
【００２８】
上部連結線材１２の形状は、ゴミ箱３０の開口形状に適合するものであればよく、その形状に制限はない。例えば、上部連結線材１２の材質を一般的に使用されているペンチなどの工具で容易に変形できるものとし、使用者が使用するゴミ箱の形状に応じて自ら調整するものとしてもよい。また、脚部１０と同様に、一般的に使用されているペンチなどの工具で容易に切断できるものとし、端部を切除することにより調整するものとしてもよい。この際、上部連結線材１２の端部から所定の長さに亘り所定間隔の目盛を予め付しておくことにより、容易に適切な長さを切除できることは、脚部１０と同様である。
【００２９】
また、上部連結線材１２、１２が形成する開口の形状の調整は、脚部１０における下端部１０ｂの屈曲角度を変更して行うことととしてもよい。例えば、下端部１０ｂの屈曲角度を大きくすると上部連結線材１２どうしの間隔が大きくなるため、円形の開口形状を、楕円形の開口形状にすることができる。
【００３０】
上部連結線材１２、１２が形成する開口の形状において脚部１０の挿入される位置は、形状に応じて最も安定性の高い位置とすればよい。上部連結線材１２、１２が形成する開口の形状を四角形としたの場合のゴミ収集袋保持具を図７に示す。なお、図７において、図１〜５に示すゴミ収集袋保持具と実質的に同じ部分には同符号が付されている。
【００３１】
図７に示すように、上部連結線材１２の形状を、直線の中間を折れ曲げたくの字形として、上部連結線材１２、１２で形成する開口形状を四角形とする場合、対向する辺の端部に脚部１０、１０を挿入することで安定した起立状態を維持することができる。
【００３２】
上部連結線材１２は、また、図８に示すように、一方をくの字形とし他方を直線形状とすれば開口形状が三角形のゴミ箱に適合したものとなる。くの字形とした上部連結線材１２の折れ曲がり部分（三角形の頂点部分）の下側は脚部１０に支持されないが、ゴミ箱の壁面と接触した状態で保持されるため、ゴミ箱内部に沈みこむことなくゴミ収集袋を安定に保持することが可能なものとなっている。なお、図８においても、図１〜５に示すゴミ収集袋保持具と実質的に同じ部分には同符号が付されている。
【００３３】
図８において、三角形の底辺に相当する上部連結線材１２は、脚部１０の上端部を最短距離で結ぶものとなっているが、他方の上部連結線材１２が脚部１０の上端部を最短距離で結ぶ経路上に存在しない地点を経由するものとなっているので、本発明のゴミ収集袋保持具の要件を満たすものとなる。
【００３４】
脚部１０において、線材１１、１１の両下端部１１ｂ、１１ｂを連結する線材の形状もゴミ箱の適した形状とすることができる。例えば、図９に示すように、両下端部１１ｂ、１１ｂを連結する線材の形状を、２つの向き合う円弧を端部で接合させた形状とすれば、ひょうたん形の開口を有するゴミ箱に適合したものとなる。なお、図９においても、図１〜５に示すゴミ収集袋保持具と実質的に同じ部分には同符号が付されている。
【００３５】
上部連結線材１２、１２の本数は、ゴミ箱の形状に適合させて減らすことができる。すなわち、上部連結線材１２は１本にしてもよい。例えば、図１０に示すように、半円形の開口を有するゴミ箱に使用する場合は、上部連結線材１２として、半円弧状に湾曲させた線材を１本のみ使用した形態にすることができる。なお、図１０においても、図１〜５に示すゴミ収集袋保持具と実質的に同じ部分には同符号が付されている。
【００３６】
図１０に示す実施形態では、図１〜５に示す実施形態で上部連結線材として使用される別の１本の線材を、ゴミ箱の内壁に接する部位に配置し、ゴミ収集袋保持具全体の起立状態を安定させるための補助連結線材１４として使用することができる。また、図１〜５に示す実施形態において連結曲管として使用される管材を、脚部１０と補助連結線材１４を連結する補助連結管１５として使用することができる。従って、図１０に示す実施形態では、脚部１０、１０としてＬ形に折り曲げた線材を使用する他は、図１〜５に示す実施形態の構成部品をそのまま転用することができる。
【符号の説明】
【００３７】
１０  脚部
１１  起立した一対の線材
１１ａ  上端部
１１ｂ  下端部
１２  上部連結線材
１３  連結曲管
１３ａ  水平方向に開口した端部
１３ｂ  下向きに開口した端部
１４  補助連結線材
１５  補助連結管
２０  ゴミ収集袋
２０ａ  閉塞された部分
２０ｂ  下側部分
２０ｃ  折り返し部分
３０、４０  ゴミ箱
【図１】
2014221682.tif 000003
【図２】
2014221682.tif 000004
【図３】
2014221682.tif 000005
【図４】
2014221682.tif 000006
【図５】
2014221682.tif 000007
【図６】
2014221682.tif 000008
【図７】
2014221682.tif 000009
【図８】
2014221682.tif 000010
【図９】
2014221682.tif 000011
【図１０】
2014221682.tif 000012
【手続補正書】
【提出日】平成25年8月20日(2013.8.20)
【手続補正１】
【補正対象書類名】特許請求の範囲
【補正対象項目名】全文
【補正方法】変更
【補正の内容】
【特許請求の範囲】
【請求項１】
起立した一対の線材の両下端部が間隔を開けて連結された形状をなす脚部の一組と、前記一組の脚部の向い合せに配置された上端部に架け渡された上部連結線材で構成され、前記脚部をなす前記一対の線材の間隔と前記脚部どうしの間隔がゴミ箱の内面形状に適合するものとされ、前記上部連結線材は、前記上端部を最短距離で結ぶ経路上に存在しない地点を経由して、前記上端部どうしをつなぎ、前記上部連結線材にゴミ収集袋の開口部の折り返し部分が掛けられ、前記ゴミ収集袋の閉塞された下側部分が前記一組の脚部の間に配置された状態でゴミ箱に挿入されることを特徴とするゴミ収集袋保持具。
【請求項２】
起立した線材の下端部を折り曲げた形状をなす脚部の一組と、前記一組の脚部の下端部を連結する補助連結線材と、前記一組の脚部の向い合せに配置された上端部に架け渡された上部連結材で構成され、前記脚部どうしの間隔がゴミ箱の内面形状に適合するものとされ、前記上部連結線材は、前記上端部を最短距離で結ぶ経路上に存在しない地点を経由して前記上端部どうしをつなぎ、前記上部連結線材にゴミ収集袋の開口部の折り返し部分が掛けられ、前記ゴミ収集袋の閉塞された下側部分が前記一組の脚部の間に配置されたた状態で、ゴミ箱に挿入されることを特徴とするゴミ収集袋保持具。
【請求項３】
前記上部連結線材と前記脚部が着脱自在とされ、前記上部連結線材に所定間隔の目盛が付されているている請求項１に記載のゴミ収集袋保持具。
【請求項４】
前記上部連結線材と前記脚部、及び、前記補助連結線材と前記脚部が着脱自在とされ、前記上部連結線材及び前記補助連結線材に所定間隔の目盛が付されている請求項２に記載のゴミ収集袋保持具。
【請求項５】
前記脚部に所定間隔の目盛が付されている請求項３又は４に記載のゴミ収集袋保持具。
【請求項６】
前記脚部の前記上部連結線材に対する角度が可変とされている請求項１〜５のいずれか
に記載のゴミ収集袋保持具。
【手続補正２】
【補正対象書類名】明細書
【補正対象項目名】０００７
【補正方法】変更
【補正の内容】
【０００７】
本発明に係る第一のゴミ収集袋保持具は、起立した一対の線材の両下端部が間隔を開けて連結された形状をなす脚部の一組と、前記一組の脚部の向い合せに配置された上端部に架け渡された上部連結線材で構成される。前記脚部をなす前記一対の線材の間隔と前記脚部どうしの間隔がゴミ箱の内面形状に適合するものとされている、また、前記上部連結線材は、前記上端部を最短距離で結ぶ経路上に存在しない地点を経由して、前記上端部どうしをつなぐものとなっている。そして、前記上部連結線材にゴミ収集袋の開口部の折り返し部分が掛けられ、前記ゴミ収集袋の閉塞された下側部分が前記一組の脚部の間に配置された状態でゴミ箱に挿入される。
本発明に係る第二のゴミ収集袋保持具は、起立した線材の下端部を折り曲げた形状をなす脚部の一組と、前記一組の脚部の下端部を連結する補助連結線材と、前記一組の脚部の向い合せに配置された上端部に架け渡された上部連結材で構成される。前記脚部どうしの間隔がゴミ箱の内面形状に適合するものとされている。前記上部連結線材は、前記上端部を最短距離で結ぶ経路上に存在しない地点を経由して前記上端部どうしをつなぐものとなっている。そして、前記上部連結線材にゴミ収集袋の開口部の折り返し部分が掛けられ、前記ゴミ収集袋の閉塞された下側部分が前記一組の脚部の間に配置されたた状態で、ゴミ箱に挿入される。
【手続補正３】
【補正対象書類名】明細書
【補正対象項目名】０００９
【補正方法】変更
【補正の内容】
【０００９】
本発明に係る第一のゴミ収集袋保持具において、前記上部連結線材と前記脚部が着脱自在とされていてもよく、また、本発明に係る第二のゴミ収集袋保持具において、前記上部連結線材と前記脚部、及び、前記補助連結線材と前記脚部が着脱自在とされていてもよく、その場合、前記上部連結線材及び前記補助連結線材に所定間隔の目盛が表示されていてもよい。更に、所定間隔の目盛は、前記脚部に付されていてもよい。
【手続補正４】
【補正対象書類名】明細書
【補正対象項目名】００１１
【補正方法】変更
【補正の内容】
【００１１】
前記上部連結線材どうしの間隔が、前記脚部の弾発力により可変とされていてもよい。